(57)【要約】【課題】ロール状記録材料を、包装材料に収容して長期間保管したり輸送しても、ロール状記録材料を破損変形させることがなく、記録材料を劣化させないように支持することのでき、かつロール支持部材の材料の厚みを薄化することにより製造コストが削減されたロール支持部材を提供すること。【解決手段】両側の表面にリブが形成された４つの角を落とした矩形の基板部、該基板部の一方の表面の中央部に基板部と一体に形成されかつ先端が閉じられた円筒凸部、及び、該基板部の四隅に形成された突起部からなるロール支持部材であって、該円筒凸部が中空内部を形成し該中空内部に同心筒状リブ及び放射状リブを有し、該基板部の該円筒凸部が形成されている面であって該円筒凸部と該基板部とが交わる部分には、該円筒凸部の根元に周回する凹状の溝が設けられ、該溝の内部に円筒凸部を中心として放射状に配設されたリブを有することを特徴とするロール支持部材。【選択図】          図３
2004196319.tif 000002
【特許請求の範囲】
【請求項１】
両側の表面にリブが形成された、４つの角を落とした矩形の基板部、
該基板部の一方の表面の中央部に、基板部と一体に形成され、かつ先端が閉じられた円筒凸部、
及び、該基板部の四隅に、それぞれ該円筒凸部が形成されている方向に延長した形に基板部と一体に形成された突起部からなるロール支持部材であって、
該円筒凸部が中空内部を形成し、
該中空内部に円筒凸部と略同心筒状に配設されたリブ、及び同心筒状リブと円筒凸部の中空内部側の面を連結するように配設された放射状リブを有し、
該基板部の該円筒凸部が形成されている面であって、該円筒凸部と該基板部とが交わる部分には、該円筒凸部の根元に周回する凹状の溝が設けられ、
該溝の内部に円筒凸部を中心として放射状に配設されたリブを有することを特徴とする、ロール支持部材。
【請求項２】
該突起部が該基板部の外周よりも外側に広がる形で設けられ、かつ、該突起部の内側にリブが設けられた請求項１記載のロール支持部材。
【請求項３】
該溝の底部の裏面に、リブが設けられていない請求項１又は２に記載のロール支持部材。
【請求項４】
請求項１〜３いずれか１つに記載のロール支持部材によって、ロール状記録材料を直方体の収納容器中に宙づりに支持し収納した記録材料包装体。
【発明の詳細な説明】
【０００１】
【発明の属する技術分野】
本発明は、長尺状の記録材料シートが円筒状の巻芯に巻かれてなるロール状記録材料を包装材料に収容する際に用いられる一対のロール支持部材、及びロール状記録材料の両端を一対のロール支持部材により支持して包装材料に収容した記録材料包装体に関するものである。
【０００２】
【従来の技術】
従来より、長尺状の記録材料シートを保管運搬する際には、記録材料シートを円筒状の巻芯に巻いてロール状にした後、段ボール容器などのパルプ製包装材料に収容して保管運搬するのが一般的である。通常、このようなロール状の記録材料シート（以下、ロール状記録材料という）の最外周部は、記録材料が感光材料である場合、感光したり、傷ついたりしないように遮光性シートで覆い、またその幅方向の両端部からも感光したり傷つかないように、その両端部を遮光性の保護板で保護している。さらに、このような感光材料ロールを包装材料に収容する際にも、落下等の物理的な衝撃によって感光材料ロールが変形破損したり、遮光性シートや保護板が破損して感光材料が記録しないように保護する必要がある。
【０００３】
ロール状記録材料を保護し包装材料に収容する方法として、例えば平坦な基板に一体的に成形された凸部を有するロール支持部材（凸部を有するフランジ）が提案されている。これによると、ロール状記録材料の巻芯の両端に一対のロール支持部材の凸部を挿入することで、ロール状記録材料を包装材料に収容する際にロール状記録材料は平坦な基板で支持されるので、記録材料を包装材料に接触しないようにすることができる。しかし、このロール支持部材を合成樹脂材料を主成分として形成した場合、平坦な基板は緩衝性や機械的な強度が充分でないという問題がある。つまり、このようなロール支持部材を用いた記録材料包装体は、落下等の物理的な衝撃を受けるとロール状記録材料にその衝撃が直接伝わってロール状記録材料が変形破損したりたり、あるいは平坦な基板が割れてしまいロール状記録材料を支持することができなくなる場合がある。一方、ロール支持部材を緩衝性の高い合成樹脂発泡材料を主構成材料として成形した場合では、記録材料包装体は落下等の物理的な衝撃を受けても、その衝撃は平坦な基板に吸収され、ロール状記録材料には伝わらないので、ロール状記録材料は変形破損しない。しかしこの場合では、通常のロール状記録材料の重量は大きい（例えば４ｋｇ以上）ので、凸部がその重量を確実に支持しきれずに破損してロール状記録材料を支持することができなくなりやすいという問題がある。
【０００４】
また一方、ロール状記録材料を長期間保管した場合には、記録材料が感光材料である場合、感光材料に含まれる銀化合物などが空気中の水分と反応して、感光材料は劣化し記録むらが発生することがある。感光材料ロールの外周部やその端部からは、上述したように遮光性シートや保護板で覆われているので空気中の水分はほとんど進入しない。一方、感光材料ロールの巻芯は、強度、コスト等で有利であるが防湿性の低いパルプ材料が広く用いられ、さらに通常その中空部は外気と接触している。従って、感光材料ロールを長期間保管する場合には、物理的な衝撃から感光材料ロールを保護し変形破損等しないようにするだけでなく、巻芯の中空部が外気と接触して水分が進入しないようにする必要がある。
【０００５】
防湿性の高い合成樹脂からなり巻芯に挿入（嵌合）可能なロール支持部材と低密度材料からなる緩衝部材とを組み合わせて用いるロール支持部材、すなわちロール状記録材料の巻芯とそのロール支持部材と、巻芯とロール支持部材との間にその緩衝部材とを合わせて一体とし包装材料に収容した記録材料包装体（記録材料）が提案されている。これによると、ロール状記録材料の巻芯は防湿性の高いロール支持部材を挿入（嵌合）してふさがれるので、巻芯の中空部は外気と接触しなくなる。そして記録材料包装体は落下等の物理的な衝撃に対しても、低密度材料からなる緩衝部材がその衝撃をやわらげるのでロール支持部材やロール状記録材料は変形破損しにくくなる。
【０００６】
しかしながら、上述したロール支持部材と緩衝部材からなるロール支持部材においても、低密度材料である緩衝部材は復元性が低く、落下等の物理的な衝撃によって緩衝部材が変形するという問題がある。特に大きな衝撃を受けた場合や、繰り返して衝撃を受けた場合などは緩衝部材は変形して緩衝性が低下する。このような状態で記録材料包装体が衝撃を受けた場合は、その衝撃がロール状記録材料に伝わってロール状記録材料が破損変形しやすい。このため、ロール状記録材料を長期間の保管、輸送するためには緩衝部材を大きくして、緩衝部材が変形しても緩衝性を保持できるようにする必要がある。しかし緩衝部材を大きくすると、それを収容する包装材料も大きくなるので、資源的及びコスト的に不利になり、またその後の保管する空間や運搬する作業の効率も悪くなる。さらにロール支持部材と緩衝部材が異なった材料で成型されているので製造工程も多くコストも高くなり、また使用後にリサイクルあるいは廃棄処理する際にも不利である。
【０００７】
これらの問題点を解決するものとして、ロール状記録材料を支持する円筒軸及びフランジ部が一体成形されたロール支持部材が開示されている（特許文献１、２及び３参照。）。しかしながら、落下衝撃に対する強度を十分に確保するために、ロール支持部材を肉厚にしなければならないという問題があり、さらなる改善が望まれている。
【０００８】
【特許文献１】
特開平１１−３２７０８９号公報
【特許文献２】
特開平７−３３００３２号公報
【特許文献３】
特開２００２−２４４２４９号公報
【０００９】
【発明が解決しようとする課題】
従って、本発明の目的は、ロール状記録材料を、包装材料に収容して長期間保管したり輸送しても、ロール状記録材料を破損変形させることがなく、記録材料を劣化させないように支持することのでき、かつロール支持部材の材料の厚みを薄化することにより製造コストが削減されたロール支持部材を提供することである。また、本発明の他の目的は、保管運搬を効率良くできる記録材料包装体を提供することである。
【００１０】
【課題を解決するための手段】
（１）  両側の表面にリブが形成された、４つの角を落とした矩形の基板部、該基板部の一方の表面の中央部に、基板部と一体に形成され、かつ先端が閉じられた円筒凸部、及び、該基板部の四隅に、それぞれ該円筒凸部が形成されている方向に延長した形に基板部と一体に形成された突起部からなるロール支持部材であって、該円筒凸部が中空内部を形成し、該中空内部に円筒凸部と略同心筒状に配設されたリブ、及び同心筒状リブと円筒凸部の中空内部側の面を連結するように配設された放射状リブを有し、該基板部の該円筒凸部が形成されている面であって、該円筒凸部と該基板部とが交わる部分には、該円筒凸部の根元に周回する凹状の溝が設けられ、該溝の内部に円筒凸部を中心として放射状に配設されたリブを有することを特徴とする、ロール支持部材。
（２）  突起部が該基板部の外周よりも外側に広がる形で設けられ、かつ、該突起部の内側にリブが設けられた（１）記載のロール支持部材。
（３）  該溝の底部の裏面に、リブが設けられていない（１）又は（２）に記載のロール支持部材。
（４）  （１）〜（３）いずれか１つに記載のロール支持部材によって、ロール状記録材料を直方体の収納容器中に宙づりに支持し収納した記録材料包装体。
【００１１】
【発明の実施の形態】
以下に、図１〜８を参照しながら本発明の実施の形態について説明するが、本発明はこれに限定されない。
【００１２】
図１は本発明のロール支持部材を両端に装着したロール状記録材料を外箱に収納する時の各部材の概略斜視図を示す。図１において、１は遮光性リーダー１４及び遮光性フランジ１５により包装されたロール状感光材料を示し、２は中空円筒状の巻芯を示す。３は好ましくは射出成形により作製したロール支持部材を示す。７はロール状記録材料１を収納する収納容器（外箱）を示す。ロール状記録材料１はロール支持部材３によって宙づりに支持され、直方体の外箱７に収納されている。
【００１３】
本発明におけるロール状記録材料とは、広幅長尺の記録材料を巻芯にロール状に巻取った状態の記録材料を言う。広幅長尺の感光材料とは、例えば、一般的には幅が１５２ｍｍ、６１０ｍｍ、８６４ｍｍ、１２１３ｍｍ等で長さが約３０〜１３０ｍである記録材料を指す。勿論、これ以上の幅と長さであってもかまわない。本発明におけるロール状記録材料とは特に限定するものではなく、プリント、印刷、複写等に使用される、感光材料、カラーコピー用受像紙等全ての画像記録材料に用いることができる。感光材料としては銀塩感光材料（熱現像感光材料を含む）に限らず、各種感光材料のフィルム、印画紙等全てを対象とすることができる。
【００１４】
本発明におけるロール支持部材の一例の斜視図を図２及び図３に、そしてその断面図を図４に示す。以下、各図を参照しながら本発明のロール支持部材について説明する。本発明のロール支持部材３は、少なくとも一方の側の表面、好ましくは両側の表面にリブを形成することによって機械的強度が高められた矩形の基板部４、該基板部４の一方の表面の中央部に該基板部４と一体に形成され、かつ先端が閉じられた円筒凸部５、そして該基板部４の四隅をそれぞれに垂直方向に延長した形で該基板部４と一体に設けられた突起部６からなる。基板部４には、円筒凸部５が形成されている面にリブ４ａが設けられている。より機械的強度を高めるために反対側の面にもリブ４ｂを設けることが望ましい。
基板部４の大きさ、つまり基板部４の正方形の向かい合う２辺の距離Ｗは、巻芯２に巻く記録材料の長さに合わせ適宜変更することが可能であり、好ましくは１２０〜１９０ｍｍである。
【００１５】
リブ４ａ、４ｂの大きさは、高さが５〜３０ｍｍ、厚みが１〜２ｍｍの範囲が望ましく、またそれぞれの大きさは同一であっても、異なっていても良い。通常リブはそれぞれ、例えば図２及び図３に示したように、基板部４のほぼ中央部に形成された円筒凸部５を中心に放射状に形成される。また、その基板部４の四隅は角に衝撃が集中し割れたりしないように角を落としてあることが望ましい。さらに、基板部４の矩形は正方形状であることが望ましい。ロール支持部材に支持されたロール状記録材料を包装材料に収容する際に、不要な空間を少なくし包装材料をより小さくすることができるからである。
【００１６】
円筒凸部５の外径はロール状記録材料の巻芯２の内径より０．１〜３ｍｍの範囲で小さいことが望ましい。円筒凸部５の外径と巻芯２の内径との差は０．１ｍｍより小さいと巻芯２に円筒凸部を挿入しにくくなり、また３ｍｍより大きいと巻芯２の中空部と外気が接触して、水分が混入しやすくなる。また、円筒凸部３の高さは１０〜４０ｍｍの範囲であることが望ましく、２０〜３０ｍｍの範囲であることがより望ましい。円筒凸部の高さは４０ｍｍより大きいと巻芯に挿入しにくくなり、また１０ｍｍより小さいと巻芯の中空部と外気が接触して、水分が進入しやすくなる。
【００１７】
突起部６は、そのほぼ中央部には先端が閉じられた円筒凸部５と同一方向に設けられていることが望ましい。また、この突起部６の高さはそれぞれ等しく、かつ円筒凸部５の高さと同じあるいは、それ以上にすることが望ましい。このような突起部の高さの調整により、より安定にロール状記録材料を支持することができる。
【００１８】
図５に示すように、突起部６は、４つの角を落とした矩形の基板部４の外周よりも外側に広がる形で設けられていることが好ましい。また、突起部６の内側には、リブ６ａが設けられていることが好ましい。リブ６ａを設けることにより、突起部６の強度が増す。加えて、図５及び図６に示すように、ロール支持部材を重ね合わせて保管する際、矩形の基板部４が４つの突起部６の内側に収まり、さらに、矩形の基板部４をリブ６ａで保持することが可能となり、スタック特性にも優れたものとなる。リブ６ａの高さは、基板部４を支える上で、１５〜２５ｍｍであることが好ましい。
【００１９】
他の実施態様として、図７及び図８に本発明のロール支持部材を重ね合わせた際の概略斜視図を示す。図７において、ロール支持部材の突起部６は、先端に段差が設けられている。この段差部６ｂで矩形の基板部４を保持することによりロール支持部材を積み重ねて保管することが可能となる。また、図８において、ロール支持部材の基板部４には、切欠き４ｃが設けられている。この切欠き４ｃと突起部６を重ね合わせることによりロール支持部材を積み重ねて保管することが可能となる。
【００２０】
本発明のロール支持部材３において、円筒凸部５は中空内部を形成し、該中空内部に円筒凸部と略同心（同軸）筒状に配設されたリブ５ａ、及び同心筒状リブと円筒凸部の中空内部側の面を連結するように配設された放射状リブ５ｂを有する。円筒凸部５の内部にリブを設けることにより、記録材料包装体が落下等した際に、ロール支持部材３の円筒凸部５が破損することを防ぐことが可能となる。従来、円筒凸部５の強度を保つために、円筒凸部５を肉厚となるよう作製する必要があったが、本発明のロール支持部材３は円筒凸部５の内部のリブによって強度が保たれるため、円筒凸部５を肉厚とする必要がない。本発明の円筒凸部５の厚みＳは、０．５〜３ｍｍであることが好ましい。
【００２１】
また、本発明のロール支持部材３は、矩形の基板部４の円筒凸部５が形成されている面であって、円筒凸部５と矩形の基板部４とが交わる部分に、円筒凸部５の根元を周回する凹状の溝８が設けられている。溝８の内部には、円筒凸部５を中心として放射状に配設されたリブ８ａを有する。溝の底部の裏面８ｂ（円筒凸部及び突起部のない面）には、リブが設けられておらず、滑らかな面であることが好ましい。溝の深さは、溝の底部の裏面がリブ４ｂの高さと揃うような深さであることが好ましい。
【００２２】
さらに、基板部４の円筒凸部５が設けられている面と反対の面には、凹みが設けられていることが望ましい。図４に示すように円筒凸部５を下に向けて、基板部４の裏面にロール状記録材料１を配置すると、ロール状記録材料１がその凹みで固定されるので、ロール状記録材料受けとして使用することが可能になる。
【００２３】
本発明のロール支持部材は、ポリエチレンとポリプロピレンのブロック共重合体を主構成材料とする。ポリプロピレンに対してポリエチレンの混合比は２〜１５重量％の範囲が望ましい。このようなポリエチレンとポリプロピレンのブロック共重合体としては、例えば、ＢＣ１Ｂ、ＢＣ２Ｅ、ＢＣ３Ｍ、ＢＣ４、ＢＣ４ＡＳＷ、ＢＣ５Ｃ、ＢＣ６、ＢＣ８（日本ポリケム（株）製）、Ｊ−４６６ＨＰ（出光石油化学（株）製）などが挙げられる。また、本発明のロール支持部材は射出成形により成形するのが好ましい。射出成形する際の成形性を向上させ、かつ成形されたロール支持部材と感光材料ロールとの接触面の摩擦を少なくするために、ポリエチレンとポリプロピレンのブロック共重合体に、シリコーン樹脂（例えば、ヘキサケミカル（株）製、シリコンＭＣＰ）が０．３〜３重量％の範囲で添加することが望ましい。
【００２４】
直方体の外箱７に使用する紙材料は特に限定は無いが、取り扱い、作り易さ、強度から段ボールが好ましい。段ボールとしては最新紙加工便覧（株式会社テックタイムス）に記載されている如き一般的なＡフルート〜Ｅフルートの両面段ボール、複両面段ボールが好ましく使用されるが特に限定は無い。ロール状感光材料の大きさに従い適宜選択することができる。
【００２５】
遮光性シート、遮光性保護板等の遮光防湿材料としては、写真性能に悪影響を与えず遮光防湿機能を有していれば特に限定は無く、例えば特開平６−９５３０２号、同８−１７９４７３号に記載されている遮光防湿材料を使用することができる。
【００２６】
次に、本発明の記録材料包装体について説明する。図１に示すように、本発明の記録材料包装体は、ロール状記録材料１の巻芯２の両端に本発明のロール支持部材３の円筒凸部５をそれぞれ挿入して、段ボール容器などのパルプ製包装材料（外箱）７に収容して作成される。本発明におけるロール状記録材料、特にロール状感光材料は、両端に感光材料が感光したり、ロール支持部材が接触して感光材料が傷が付かないように保護するための遮光性を有する保護板１５を備えた円筒状の巻芯２に長尺状の記録材料シートを巻き付けることにより製造される。そしてロール状記録材料１の外周は記録材料が保管中に記録しないために遮光シート１４で保護されている。さらにロール状記録材料１は、空気中の水分によって記録材料が劣化しないように防湿シートなどで保護されていることが望ましい。
このようにして包装材料に収容されたロール状記録材料は、ロール支持部材によって支持され遮光シートで保護された記録材料シートが包装材料に接触しない。
【００２７】
以上のように、本発明のロール支持部材３において、支持部材の基板部４はリブ４ａ及び４ｂを有しおり、さらに、円筒凸部５の中空内部にもリブ５ａを有しているので機械的な強度が強く、物理的な衝撃を吸収し破損変形することがない。よって、本発明のロール支持部材３は、ロール状記録材料１を包装材料に収容して長期間保管したり輸送しても、ロール状記録材料を破損変形させることがなく、かつ記録材料を劣化させないように支持することができる。また円筒凸部５を肉薄の材料で作製することができ、さらに、基板部４、円筒凸部５、突起部６がそれぞれ一体となって成形されるので、本発明のロール支持部材３は製造時間を従来より２５％、ロール支持部材３の総重量を従来の３０％削減することが可能である。従って、本発明のロール支持部材３を用いた記録材料包装体は安価で作成でき、かつ保管、運搬を効率よく行うことができる。
【００２８】
【実施例】
以下に実施例を挙げるが、本発明はこれに限定されるものではない。
（ロール支持部材の作成）
ポリエチレンとポリプロピレンのブロック共重合体（ＰＥ−ＰＰ）をそれぞれ射出成形により表１に示したロール支持部材を作成した。作成されたロール支持部材において、基板部は両面にリブ部を有し、円筒凸部の外径は感光材料ロールの巻芯の内径より１ｍｍ小さく、またその高さは３０ｍｍであった。
【００２９】
圧縮試験機を用いて作製したロール支持部材の基板部を圧縮し、圧縮した個所の変形量を確認した。なお、表１における変形量とは、参考例のサンプルを圧縮した場合の変形量に対する各サンプルの変形量の比率である。
【００３０】
【表１】
2004196319.tif 000003
【００３１】
実施例１の記録材料包装体は、厚み２．０〜２．５ｍｍで作製した場合の参考例と同等の変形量であった。
【００３２】
また、記録材料ロールの巻芯の両端に上述のロール支持部材の円筒凸部を挿入してパルプ製包装材料に収容し、記録材料包装体を作成した。この包装体をＪＩＳ  Ｚ  ０２０２に従い落下テストに供し、ロール支持部材の落下衝撃に対する強度を確認した。実施例１の記録材料包装体は、比較例１〜３の記録材料包装体よりも落下衝撃に強く、厚み２．０〜２．５ｍｍで作製した場合の参考例と同等の強度であった。
【００３３】
【発明の効果】
本発明によれば、肉薄で、強度の弱い材料で作製した場合でも落下衝撃に強いロール支持部材を、安価に得ることができる。
【図面の簡単な説明】
【図１】本発明の一実施態様としてのロール支持部材を両端に装着したロール状記録材料を外箱に収納する時の各部材の概略斜視図を示す。
【図２】本発明の一実施態様としてのロール支持部材の嵌入部が突き出した側の概略斜視図を示す。
【図３】本発明の一実施態様としてのロール支持部材の嵌入部が突き出した側とは反対面の概略斜視図を示す。
【図４】図２のＡ−Ａ’に沿った概略断面の斜視図である。
【図５】本発明の一実施態様としてのロール支持部材を重ね合わせた際の概略斜視図である。
【図６】図５のＢ−Ｂ’に沿った概略断面図である。
【図７】本発明の一実施態様としてのロール支持部材を重ね合わせた際の概略斜視図である。
【図８】本発明の一実施態様としてのロール支持部材を重ね合わせた際の概略斜視図である。
【符号の説明】
１  ロール状記録材料
２  巻芯
３  ロール支持部材
４  基板部
４ａ、４ｂ  リブ
４ｃ  切欠き
５  円筒凸部
５ａ  同心筒状リブ
５ｂ  放射状リブ
６  突起部
６ａ  リブ
６ｂ  段差部
７  外箱
８  溝
８ａ  リブ
８ｂ  溝の底部の裏面
１０、１０ａ、１０ｂ  ロール支持部材部材
１１  ロール状記録材料
１２  巻芯
１３  保護板
１４  遮光性シート
１５  遮光性フランジ
Ｓ  円筒凸部厚み
Ｗ  基板部の正方形の向かい合う２辺の距離
Ｈ  リブ６ａの高さ
【図１】
2004196319.tif 000004
【図２】
2004196319.tif 000005
【図３】
2004196319.tif 000006
【図４】
2004196319.tif 000007
【図５】
2004196319.tif 000008
【図６】
2004196319.tif 000009
【図７】
2004196319.tif 000010
【図８】
2004196319.tif 000011